(57)【特許請求の範囲】
【請求項１】
アンテナ取り付け部材と、
前記アンテナ取り付け部材が取り付けられる第１の固定用部材と、
前記第１の固定用部材と共に、取り付け対象物を挟んで固定するための第２の固定用部材と、
第１および第２のボルトと、
２つ１組とされた第１組および第２組のナットと
を有し、
前記アンテナ取り付け部材は、
その一端が、衛星からの電波を受信するアンテナ本体の取り付け部とされ、
その他端が、前記第１の固定用部材に対して、垂直な方向を回転中心軸として９０度回転させても同じ形状とされた固定部を有し、
前記第１の固定用部材は、
前記第２の固定用部材と対向する面とは反対側の面に、前記アンテナ取り付け部材を９０度回転させた状態あるいは回転させない状態で、前記アンテナ取り付け部材の固定部を固定する取り付け部を有し、
前記第１および第２の固定用部材は、
それらが対向する面における長手方向のほぼ中央部に、凹部を有するとともに、
前記長手方向における一方の端部側に、その長手方向に沿って、これら２枚の固定用部材を対向させた状態において互いに対応した位置に、前記第１および第２のボルトをそれぞれ貫通させることができる大きさの第１および第２の貫通孔をそれぞれ有し、
前記長手方向における他方の端部側に、それら２枚の固定用部材を対向させた状態において互いに対応した位置に、前記第１および第２のボルトの一方を貫通させることのできる大きさの第３の貫通孔をそれぞれ有し、
前記第１および第２の固定用部材の前記他方の端部側により取り付け対象物を挟んで前記アンテナ本体を固定する状態では、
前記第１および第２のボルトは、前記第１および第２の貫通孔をそれぞれ貫通するように、前記第１および第２の固定用部材に設けられ、
前記第１組のナットは、前記第１のボルトに、前記第１および第２の固定用部材が対向する面側において、前記取り付け対象物の厚さに対応した位置に設けられるとともに、
前記第２組のナットは、前記第２のボルトに、前記第１および第２の固定用部材が対向する面とは反対側の面側において、前記第１および第２の固定用部材の前記他方の端部側が前記取り付け対象物を挟むように設けられ、
前記第１および第２の固定用部材の前記中央部により取り付け対象物を挟んで前記アンテナ本体を固定する状態では、
前記第１および第２のボルトは、前記第１あるいは第２の貫通孔の一方の貫通孔および前記第３の貫通孔をそれぞれ貫通するように、前記第１および第２の固定用部材に設けられ、
前記第１組および第２組のナットは、前記第１および第２のボルトに、前記第１および第２の固定用部材が対向する面とは反対側の面側において、前記第１および第２の固定用部材が前記取り付け対象物を挟むように設けられ
ようにしたアンテナ取り付け装置。
【請求項２】
アンテナ取り付け部材と、
前記アンテナ取り付け部材が取り付けられる第１の固定用部材と、
前記第１の固定用部材と共に、取り付け対象物を挟んで固定するための第２の固定用部材と、
第１および第２のボルトと、
２つ１組とされた第１組および第２組のナットと
を有し、
前記アンテナ取り付け部材は、
その一端が、衛星からの電波を受信するアンテナ本体の取り付け部とされ、
その他端が、前記第１の固定用部材に対して、垂直な方向を回転中心軸として９０度回転させても同じ形状とされた固定部を有し、
前記第１の固定用部材は、
前記第２の固定用部材と対向する面とは反対側の面に、前記アンテナ取り付け部材を９０度回転させた状態あるいは回転させない状態で、前記アンテナ取り付け部材の固定部を固定する取り付け部を有し、
前記第１および第２の固定用部材は、
それらが対向する面における長手方向のほぼ中央部に、凹部を有するとともに、
前記長手方向における一方の端部側に、その長手方向に沿って、これら２枚の固定用部材を対向させた状態において互いに対応した位置に、前記第１および第２のボルトをそれぞれ貫通させることができる大きさの第１および第２の貫通孔をそれぞれ有し、
前記長手方向における他方の端部側に、それら２枚の固定用部材を対向させた状態において互いに対応した位置に、前記第１および第２のボルトの一方を貫通させることのできる大きさの第３の貫通孔をそれぞれ有する
ようにしたアンテナ取り付け装置により、前記アンテナ本体を前記取り付け対象物に固定するようにしたアンテナ取り付け方法であり、
前記第１および第２の固定用部材の前記他方の端部側により取り付け対象物を挟んで前記アンテナ本体を固定する状態では、
前記第１および第２のボルトを、前記第１および第２の貫通孔をそれぞれ貫通するように、前記第１および第２の固定用部材に設け、
前記第１組のナットを、前記第１のボルトに、前記第１および第２の固定用部材が対向する面側において、前記取り付け対象物の厚さに対応した位置に設けるとともに、
前記第２組のナットを、前記第２のボルトに、前記第１および第２の固定用部材が対向する面とは反対側の面側において、前記第１および第２の固定用部材の前記他方の端部側が前記取り付け対象物を挟むように設け、
前記第１および第２の固定用部材の前記中央部により取り付け対象物を挟んで前記アンテナ本体を固定する状態では、
前記第１および第２のボルトを、前記第１あるいは第２の貫通孔の一方の貫通孔および前記第３の貫通孔をそれぞれ貫通するように、前記第１および第２の固定用部材に設け、
前記第１組および第２組のナットを、前記第１および第２のボルトに、前記第１および第２の固定用部材が対向する面とは反対側の面側において、前記第１および第２の固定用部材が前記取り付け対象物を挟むように設ける
ようにしたアンテナ取り付け方法。
【請求項３】
請求項１に記載のアンテナ取り付け装置の前記アンテナ取り付け部材の前記一端に、方向角度調整機構を通じて前記アンテナ本体が取り付けられている
衛星電波受信アンテナ装置。
【発明の詳細な説明】
【０００１】
【発明の属する技術分野】
この発明は、例えば衛星放送受信アンテナ用として好適なアンテナ取り付け装置および衛星電波受信アンテナ装置に関する。
【０００２】
【従来の技術】
衛星放送受信アンテナは、衛星からの電波を直接受信する必要があり、アンテナ設置工事の容易性から戸外のベランダに取り付けられる場合が多い。しかし、ベランダの構造は、格子型のものや、コンクリート壁型のものなど多種多様なものがあるので、ベランダへの取り付け部を含んだ受信アンテナ装置として販売すると、その取り付け部の構造では、ベランダにアンテナを取り付けることができない場合が生じてしまう。
【０００３】
このため、従来は、受信アンテナ本体と、アンテナ取り付け装置とは、別々に販売されていることが多い。このように別売りされる場合に、受信アンテナをベランダに取り付けるときには、まず取り付けるベランダの構造に対応したアンテナ取り付け装置としてのアンテナ取り付け金具を購入して、ベランダに取り付け、その後、受信アンテナ本体をアンテナ取り付け金具に取り付けるようにしている。
【０００４】
図５は、格子型のベランダに取り付ける場合のアンテナ取り付け金具１０の従来の一例を示すもので、アンテナ支柱１１が取り付けられた第１の固定用プレート１２と、この第１の固定用プレート１２と取り付け対象物を挟持して、取り付け対象物にアンテナ取り付け金具１０を固定するようにするための第２の固定用プレート１３と、複数本のボルト１４と、複数個のナット１５とで構成されている。
【０００５】
第１および第２の固定用プレート１２、１３の長手方向の両端の対応する位置には、ボルト１４を貫通させて取り付けるための貫通孔（図示せず）が、それぞれ２個ずつ設けられている。
【０００６】
このアンテナ取り付け金具１０は、図６に示すように、格子型ベランダの格子部分１６を、第１の固定用プレート１２と第２の固定用プレート１３とで挟み、それぞれのプレート１２、１３に設けられた貫通孔を通してボルト１４を装着し、ナット１５により締め付けることにより、格子状ベランダに固定される。
【０００７】
この固定後、衛星電波受信用のパラボラアンテナ本体２０を、アンテナ取り付け金具１０のアンテナ支柱１１に固定することにより、アンテナの取り付けが完了する。アンテナ本体２０は、パラボラ反射板２１と、このパラボラ反射板２１で集波された電波を取り込み、所定の周波数帯域の信号にダウンコンバートするコンバータ２２とを備える。
【０００８】
最近はプライバシー保護の観点からコンクリート壁によるベランダが増加しているが、この構造のベランダには、前述のアンテナ取り付け金具１０は取り付けることができない。この場合には、例えば図７に示すようなアンテナ取り付け金具３０が用いられる。
【０００９】
このアンテナ取り付け金具３０は、アンテナ支柱２１の嵌合パイプ３１が取り付けられた第１の固定用プレート３２と、この第１の固定用プレート３２と取り付け対象物を挟持して、取り付け対象物にアンテナ取り付け金具３０を固定するようにするための第２の固定用プレート３３とを、連結アーム３４により連結した構造とされている。
【００１０】
連結アーム３４は、アーム伸縮機構部３５を備えている。このアーム伸縮機構部３５は、ネジ（図示せず）を回転することにより伸縮する。
【００１１】
このアンテナ取り付け金具３０を用いてコンクリート壁型のベランダの上部に取り付ける場合には、図８に示すように、コンクリート壁３６の上部の手摺３７を連結アーム３４が跨ぐようにして、第１の固定用プレート３２と、第２の固定用プレート３３とでコンクリート壁３６を挟むようにする。そして、アーム伸縮機構部３５のネジを回転させて、第１の固定用プレート３２と、第２の固定用プレート３３とが、コンクリート壁３６をしっかりと挟持するようにして、取り付け金具３０を固定する。
【００１２】
この固定後、衛星電波受信用のパラボラアンテナ本体２０を、アンテナ取り付け金具３０のアンテナ支柱３１に固定することにより、アンテナの取り付けが完了する。
【００１３】
【発明が解決しようとする課題】
上述のように、従来は、衛星放送受信アンテナと、アンテナ取り付け金具とは別途販売され、衛星放送受信アンテナのベランダへの取り付けに当たって、取り付けるベランダの構造に対応したアンテナ取り付け金具を購入して用いる必要があった。
【００１４】
このため、アンテナ設置位置を変更したり、引っ越しによる設置環境が変化した場合には、アンテナ取り付け金具を、新たに購入しなければならない事態が生じることがあり、使用者に経済的な負担を強いることになる。
【００１５】
また、アンテナ本体を、種々のアンテナ取り付け金具に適合させるようにする構造にしなければならないため、例えばアンテナ取り付け金具には嵌合パイプを設け、一方、アンテナ本体には、この嵌合パイプに挿入する支柱パイプを取り付けなければならないという、構造上の制約が生じ、アンテナ装置としてのコストダウンを図る際の障害となっている。
【００１６】
また、アンテナ取り付け時には、まず、アンテナ取り付け金具をベランダに取り付け固定させた後、アンテナ本体を取り付けなければならず、取り付け工事の工数が多く、また、取り付けに当たって使用する部品も多く、設置作業の困難さを増大させていた。
【００１７】
この発明は、以上の点にかんがみ、格子型のベランダでも、コンクリート壁型のベランダでも、取り付け可能であると共に、コスト的にも有利であるアンテナ取り付け装置および衛星電波受信アンテナ装置を提供することを目的とする。
【００１８】
【課題を解決するための手段】
上記課題を解決するため、この発明によるアンテナ取り付け装置は、
アンテナ取り付け部材と、
前記アンテナ取り付け部材が取り付けられる第１の固定用部材と、
前記第１の固定用部材と共に、取り付け対象物を挟んで固定するための第２の固定用部材と、
第１および第２のボルトと、
２つ１組とされた第１組および第２組のナットと
を有し、
前記アンテナ取り付け部材は、
その一端が、衛星からの電波を受信するアンテナ本体の取り付け部とされ、
その他端が、前記第１の固定用部材に対して、垂直な方向を回転中心軸として９０度回転させても同じ形状とされた固定部を有し、
前記第１の固定用部材は、
前記第２の固定用部材と対向する面とは反対側の面に、前記アンテナ取り付け部材を９０度回転させた状態あるいは回転させない状態で、前記アンテナ取り付け部材の固定部を固定する取り付け部を有し、
前記第１および第２の固定用部材は、
それらが対向する面における長手方向のほぼ中央部に、凹部を有するとともに、
前記長手方向における一方の端部側に、その長手方向に沿って、これら２枚の固定用部材を対向させた状態において互いに対応した位置に、前記第１および第２のボルトをそれぞれ貫通させることができる大きさの第１および第２の貫通孔をそれぞれ有し、
前記長手方向における他方の端部側に、それら２枚の固定用部材を対向させた状態において互いに対応した位置に、前記第１および第２のボルトの一方を貫通させることのできる大きさの第３の貫通孔をそれぞれ有し、
前記第１および第２の固定用部材の前記他方の端部側により取り付け対象物を挟んで前記アンテナ本体を固定する状態では、
前記第１および第２のボルトは、前記第１および第２の貫通孔をそれぞれ貫通するように、前記第１および第２の固定用部材に設けられ、
前記第１組のナットは、前記第１のボルトに、前記第１および第２の固定用部材が対向する面側において、前記取り付け対象物の厚さに対応した位置に設けられるとともに、
前記第２組のナットは、前記第２のボルトに、前記第１および第２の固定用部材が対向する面とは反対側の面側において、前記第１および第２の固定用部材の前記他方の端部側が前記取り付け対象物を挟むように設けられ、
前記第１および第２の固定用部材の前記中央部により取り付け対象物を挟んで前記アンテナ本体を固定する状態では、
前記第１および第２のボルトは、前記第１あるいは第２の貫通孔の一方の貫通孔および前記第３の貫通孔をそれぞれ貫通するように、前記第１および第２の固定用部材に設けられ、
前記第１組および第２組のナットは、前記第１および第２のボルトに、前記第１および第２の固定用部材が対向する面とは反対側の面側において、前記第１および第２の固定用部材が前記取り付け対象物を挟むように設けられ
ようにしたアンテナ取り付け装置。
とするものである。
【００１９】
上述の構成のこの発明によるアンテナ取り付け装置によれば、第１の固定状態により、取り付け対象物をコンクリート壁型のベランダの上部として、アンテナ取り付け装置を、ベランダに取り付けることができる。また、第２の固定状態により、取り付け対象物を格子型ベランダの格子部として、アンテナ取り付け装置を、ベランダに取り付けることができる。したがって、この発明によれば、一つのアンテナ取り付け装置で、多種多様のベランダに取り付け可能となる。
【００２０】
【発明の実施の形態】
以下、この発明の実施の形態を、図を参照しながら説明する。以下に説明する実施の形態は、アンテナ取り付け装置部を備える衛星放送受信アンテナ装置の場合のものである。
【００２１】
図１は、この実施の形態の衛星放送受信アンテナ装置の、主としてアンテナ取り付け装置部の構成を示すものである。図１に示すように、この実施の形態のアンテナ取り付け装置部は、大きく分けて、アンテナ取り付け部分４０と、第１の固定用部材５０と、第２の固定用部材６０とからなる。これらアンテナ取り付け部分４０と、第１の固定用部材５０と、第２の固定用部材６０とは、例えばアルミニウムなどの金属により構成されている。
【００２２】
まず、アンテナ取り付け部分４０について説明する。パラボラ反射板４１は、方向角度調整機構部４２を介してアンテナ取り付け部材４３に取り付けられている。図示は省略したが、パラボラ反射板４１で集波された電波を取り込み、所定の周波数帯域の信号にダウンコンバートするコンバータが設けられるのは、従来と同様である。
【００２３】
アンテナ取り付け部材４３は、中空の四角柱形状のアルミニウムなどの金属により構成されており、その一端側に方向角度調整機構部４２を介してパラボラ反射板４１およびコンバータが取り付けられる。この実施の形態の場合、アンテナ取り付け部材４３の断面は正方形とされている。
【００２４】
方向角度調整機構部４２は、方位角調整部と、仰角調整部とからなる。平行な２枚の板部４２１、４２２を備えるコ字状の仰角調整部は、パラボラ反射板４１に固定されている。
【００２５】
そして、この仰角調整部の２枚の板部４２１、４２２は、平行な２枚の板部４２３、４２４を備える方位角調整部に、回動軸４２５により、矢印θａの方向に回動可能に取り付けられる。回動軸４２５の方向は、方位角調整部の２枚の板部４２３、４２４に平行な方向とされている。
【００２６】
板部４２１、４２２には、回動を案内するための円弧状の長孔４２６が設けられ、方位角調整部に固定されているボルト４２７が、この長孔４２６に嵌合される。したがって、アンテナ反射板４１の仰角は、この長孔４２６の長さ分に応じた角範囲での調整が可能とされている。そして、調整後には、ボルト４２７に螺合されるナット４２８の締め付けにより、その角度位置で仰角が固定されるようにされる。
【００２７】
方位角調整部は、その２枚の板部４２３、４２４が、アンテナ取り付け部材４３の互いに対向する側面を貫通する回転軸４２９により、矢印θｂの方向に回動可能に取り付けられることにより構成される。なお、板部４２３、４２４には、回動を案内するための円弧状の長孔４３０が設けられ、アンテナ取り付け部４３に固定されているボルト４３１が、この長孔４３０に嵌合される。したがって、アンテナ反射板４１の方位角は、この長孔４３０の長さ分に応じた角範囲での調整が可能とされている。そして、調整後には、ボルト４３１に螺合されるナット４３２の締め付けにより、その角度位置で方位角が固定されるようにされる。
【００２８】
アンテナ取り付け部材４３の他端側は、第１の固定用部材５０に取り付けられる。そのため、アンテナ取り付け部材４３の他端側の４側面には、ボルトを貫通させるための２個ずつの貫通孔が設けられている。図１においては、矢印θｂで示される方位角調整方向に直交する側面４３Ａに穿かれた２個の貫通孔４３ａ，４３ｂと、矢印θｂで示される方位角調整方向に沿う側面４３Ｂに穿かれた２個の貫通孔４３ｃ，４３ｄのみを示したが、それらの側面４３Ａ，４３Ｂに対向する側面にも同様にして貫通孔が形成されている。
【００２９】
第１の固定用部材５０および第２の固定用部材６０は、板状の部材であり、これら第１および第２の固定用部材５０および６０により、アンテナを取り付けたいベランダのコンクリート壁や格子を挟み、後述するように、複数個のボルトとナットを用いて固定するものである。このため、これら第１の固定用部材５０および第２の固定用部材６０には、その長手方向に沿った互いに対応する位置に、ボルトを挿通するための複数個の、この例では、８個の貫通孔５３ａ，５３ｂ，５３ｃ，５３ｄ，５３ｅ，５３ｆ，５３ｇ，５３ｈおよび６１ａ，６１ｂ，６１ｃ，６１ｄ，６１ｅ，６１ｆ，６１ｇ，６１ｈが、それぞれ穿かれている。
【００３０】
また、第１の固定用部材５０の長手方向のほぼ中央の位置には、アンテナ取り付け部材４３を取り付けるための取り付け片５１および５２が設けられている。第１の固定用部材５０の前記８個の貫通孔５３ａ，５３ｂ，５３ｃ，５３ｄ，５３ｅ，５３ｆ，５３ｇ，５３ｈは、取り付け片５１、５２の両側にそれぞれ４個ずつ設けられている。したがって、第２の固定用部材６０の貫通孔６１ａ，６１ｂ，６１ｃ，６１ｄ，６１ｅ，６１ｆ，６１ｇ，６１ｈは、それらの貫通孔５３ａ，５３ｂ，５３ｃ，５３ｄ，５３ｅ，５３ｆ，５３ｇ，５３ｈに対応した位置とされている。
【００３１】
第１の固定用部材５０の取り付け片５１および５２は、アンテナ取り付け部材４３の側面の幅分だけ離れて設けられている。この取り付け片５１および５２には、アンテナ取り付け部材４３の側面の２個ずつの貫通孔に対応して貫通孔５１ａ，５１ｂおよび５２ａ，５２ｂが、それぞれ設けられている。
【００３２】
この場合、アンテナ取り付け部材４３は、断面が正方形の四角柱であるので、側面４３Ａの貫通孔４３ａ，４３ｂを、取り付け片５１の貫通孔５１ａ，５１ｂに合わせるように、第１の固定用部材５０に取り付ける状態と、アンテナ取り付け部材４３を、その四角柱の中心線を中心として９０度回転させ、側面４３Ｂの貫通孔４３ｃ，４３ｄを、取り付け片５１の貫通孔５１ａ，５１ｂに合わせるように、第１の固定用部材５０に取り付ける状態とを取り得る。
【００３３】
また、第１および第２の固定用部材５０および６０の互いに対向する面の長手方向のほぼ中央部には、凹段部５４および６２が設けられている。
【００３４】
以上のような構成のアンテナ取り付け装置部を備える衛星電波受信アンテナ装置の格子型ベランダやコンクリート壁型ベランダへの取り付け態様について、次に説明する。
【００３５】
［格子型ベランダへの取り付け］
図２は、この実施の形態の衛星電波受信アンテナ装置を、格子型ベランダに取り付けた状態を示している。このときには、図２に示すように、アンテナ取り付け部材４３は、側面４３Ａの貫通孔４３ａ，４３ｂを、取り付け片５１の貫通孔５１ａ，５１ｂに合わせ、ボルト７１とボルト７２を、それらの貫通孔を通じて貫通させ、これらボルト７１、７２にナット８１、８２を装着して締め付けることにより、第１の固定用部材５０に取り付ける。
【００３６】
そして、長手方向を水平方向とした第１の固定用部材５０と第２の固定用部材６０とで、格子型ベランダの格子９１、９２を挟み、第１の固定用部材５０と第２の固定用部材６０の長手方向の適当な２か所の貫通孔、図２の例では、両端の貫通孔５３ａ，６１ａと、貫通孔５３ｈ，６１ｈとに、ボルト７３、７４を挿通し、これらボルト７３、７４にナット８３、８４を装着して締め付けることにより、アンテナ装置全体を格子９１、９２に固定するようにする。
【００３７】
この場合、図２の例では、２本の格子９１、９２を挟む位置の２か所の貫通孔５３ａ，６１ａと、貫通孔５３ｈ，６１ｈの位置において、アンテナ装置全体を固定するようにしたが、２本の格子９１、９２の間の２か所の貫通孔５３ｃ，６１ｃと、貫通孔５３ｆ，６１ｆあるいは、５３ｄ，６１ｄと、貫通孔５３ｅ，６１ｅの位置において、アンテナ装置全体を固定するようにすることもできる。
【００３８】
以上のように取り付け固定した後、方向角度調整機構４２により、方位角および仰角を調整することにより、パラボラ反射板４１を衛星方向に正しく方向調整して、取り付けが完了する。
【００３９】
［壁型ベランダへの取り付け］
図３は、この実施の形態の衛星電波受信アンテナ装置を、壁型ベランダに取り付けた状態を示している。このときには、図３に示すように、アンテナ取り付け部材４３は、側面４３Ｂの貫通孔４３ｃ，４３ｄを、取り付け片５１の貫通孔５１ａ，５１ｂに合わせ、ボルト７１とボルト７２を、それらの貫通孔を通じて貫通させ、これらボルト７１、７２にナット８１、８２を装着して締め付けることにより、第１の固定用部材５０に取り付ける。
【００４０】
すなわち、この壁型ベランダに取り付けるときには、前述の格子型ベランダのときとは、アンテナ取り付け部材４３を、その四角柱の中心線を回転中心として９０度回転させて、第１の固定用部材５０に対して取り付ける。
【００４１】
そして、第１および第２の固定用部材５０、６０を、その長手方向が垂直方向となるようにして、図３に示すように、その長手方向の一端側で、コンクリート壁９３を挟むようにする。このとき、凹段部５４および６２内に、壁型ベランダの上部の手摺部分９３ａが入り込むように、第１および第２の固定用部材５０、６０を装着する。
【００４２】
第１および第２の固定用部材５０、６０には、上述のようなコンクリート壁９３への装着に先立ち、コンクリート壁９３への装着部分とは逆側の長手方向の他端部側の２か所の貫通孔にボルト７５および７６を挿通させる。この際に、外側（上側）のボルト７５には、第１および第２の固定用部材５０、６０間の部分に２個のナット８５ａ，８５ｂを装着するようにする。内側（下側）のボルト７６には、通常のように、貫通させたボルト先端部にナット８６を装着するようにする。
【００４３】
また、第１および第２の固定用部材５０および６０の長手方向の一端側のコンクリート壁９３への装着部には、例えばゴムなどの弾性体のシート５５および６３を、例えば両面テープなどの接着材を用いて取り付けておく。
【００４４】
そして、図３のように、第１および第２の固定用部材５０および６０を、コンクリート壁９３に装着したら、上側のボルト７５に装着されているナット８５ａ，８５ｂの位置をまず調整する。すなわち、ナット８５ｂは、第２の固定用部材６０側にしっかりと締め付けて固定する。一方、ナット８５ａは、第１および第２の固定用部材５０および６０間の距離が、コンクリート壁９３の厚さにほぼ一致する位置にする。
【００４５】
次に、下側のボルト７６の先端に装着されているナット８６を締め付ける。この締め付けにより、第１および第２の固定用部材５０および６０の長手方向の他端側には、梃子の原理により、コンクリート壁９３を締め付けるような力が働く。こうして、この実施の形態の衛星電波受信アンテナ装置は、コンクリート壁からなるベランダにも装着固定が可能となる。この場合に、弾性シート５５、６３の存在により、アンテナ装置は、より確実にコンクリート壁９３に固定されるものである。
【００４６】
以上のように取り付け固定した後、方向角度調整機構４２により、方位角および仰角を調整することにより、パラボラ反射板４１を衛星方向に正しく方向調整して、取り付けが完了する。
【００４７】
このとき、前述の格子型ベランダへの取り付けの場合に対して、第１および第２の固定用部材５０、６０は、９０度回転した状態になるが、前述したように、このときには、アンテナ取り付け部材４３が、９０度回転した状態で第１の固定用部材５０に取り付けられているので、方向角度調整機構４２により、格子型ベランダに取り付けた場合と同様にして方向調整を行うことができる。
【００４８】
［他の取り付け態様］
この実施の形態の衛星電波受信アンテナ装置の第１および第２の固定用部材５０および６０の中央部に設けられた凹段部５４および６２を利用することにより、この実施の形態の衛星電波受信アンテナ装置は、図４に示すように、円柱状の構造物９４や角柱状の構造物部分にも、容易に固定することができる。この場合の第１および第２の固定用部材５０および６０の、取り付け対象物に対する取り付け状態は、図２に示した状態と同様で、取り付け対象物を挟む２か所の貫通孔にボルトを通し、ナットで締め付けることにより、固定することができる。
【００４９】
この場合、取り付け対象物である円柱状構造物９４や角柱状構造物は、水平方向のものであっても、垂直方向のものであっても、いずれでもよい。図４の例は、水平方向の円柱状の構造物に取り付けた状態を示しており、このため、第１の固定用部材５０と、アンテナ取り付け部材４３との結合関係は、図３のコンクリート壁に取り付ける場合と同様とされている。
【００５０】
［変形例］
以上の実施の形態は、衛星電波受信アンテナ装置の場合であるが、アンテナ取り付け部材４３に、従来のようなアンテナ支柱を取り付けるなどすることにより、受信アンテナ本体とは別体のアンテナ取り付け装置の構成とすることも、勿論できる。その場合においても、アンテナ取り付け装置は、格子型ベランダでも、コンクリート壁型のベランダであっても、取り付けが可能であるので、一つのアンテナ取り付け装置により、殆どのベランダに取り付け可能となるという顕著な効果がある。
【００５１】
なお、上述の実施の形態では、固定用部材に設けた貫通孔は８個であったが、取り付け部材４３の取り付け片５１、５２の部分の一方の側に２個（壁型ベランダへの取り付け用）と、他方の側に１個の、少なくとも３個を設けるようにすればよい。
【００５３】
【発明の効果】
以上説明したように、この発明によれば、一般的なベランダの殆どのものに取り付け可能な衛星電波受信アンテナ装置を実現することができる。そして、アンテナ設置時には、専用の取り付け金具を用意する必要がないので、設置工事の際のコストおよび時間が大幅に削減することができる。
【００５４】
また、アンテナ設置位置の変更や、引っ越しなどによる設置環境の変化にも柔軟に対応することができる。
【図面の簡単な説明】
【図１】この発明による衛星電波受信アンテナ装置の実施の形態のアンテナ取り付け装置部の部分を説明するための図である。
【図２】実施の形態の衛星電波受信アンテナ装置の取り付け状態の一態様を示す図である。
【図３】実施の形態の衛星電波受信アンテナ装置の取り付け状態の他の態様を示す図である。
【図４】実施の形態の衛星電波受信アンテナ装置の取り付け状態の他の態様を示す図である。
【図５】従来のアンテナ取り付け金具の一例を説明するための図である。
【図６】図５の例のアンテナ取り付け金具を用いた取り付け態様を示す図である。
【図７】従来のアンテナ取り付け金具の他の例を説明するための図である。
【図８】図７の例のアンテナ取り付け金具を用いた取り付け態様を示す図である。
【符号の説明】
４０…アンテナ取り付け部分、４１…パラボラ反射板、４２…方向角度調整機構部、４３…アンテナ取り付け部材、５０…第１の固定用部材、６０…第２の固定用部材、５３ａ〜５３ｈ…貫通孔、６１ａ〜６１ｈ…貫通孔、５４、６２…凹段部、９１、９２…格子型ベランダの格子、９３…壁型ベランダのコンクリート壁、５５、６３…弾性シート
【図１】
0004340827.tif 000002
【図２】
0004340827.tif 000003
【図３】
0004340827.tif 000004
【図４】
0004340827.tif 000005
【図５】
0004340827.tif 000006
【図６】
0004340827.tif 000007
【図７】
0004340827.tif 000008
【図８】
0004340827.tif 000009